【事件の表示】
　特願２００７−１９５１５１「ＬＥＤ照明装置」拒絶査定不服審判事件〔平成２１年　２月１２日出願公開、特開２００９−　３２５２４〕について、次のとおり審決する。
【結　論】
　本件審判の請求は、成り立たない。
【理　由】
第１　手続の経緯  
　本願は、平成１９年７月２６日の出願であって、平成２４年１１月１６日付けで拒絶の理由が通知され、平成２５年１月２１日に手続補正がなされたが、同年５月３１日付けで拒絶査定がなされ、これに対して、同年９月４日に拒絶査定不服審判が請求されると同時に手続補正がなされ、その後、当審において、平成２６年６月２７日付けで拒絶の理由（以下「当審拒絶理由」という。）が通知され、同年９月１日に手続補正がなされたものである。　
　
第２　本願発明  
　本願の請求項に係る発明は、平成２６年９月１日の手続補正により補正された請求項１に記載された事項により特定されるとおりのものであるところ、その請求項１に係る発明（以下「本願発明」という。）は、次のとおりのものである。  
          
　「発光色の異なる複数種の発光装置を備えたＬＥＤ照明装置であって、所望の混色光に基づいてｘｙ色度図における黒体軌跡上で規定した２つの色度点と、当該２つの色度点それぞれにおいて前記黒体軌跡に接する２つの接線の交点に位置する色度点との３つの色度点を結んだ三角形を内包する多角形の各頂点それぞれに対応する色度点の色を発光する前記複数種の前記発光装置を備え、前記複数種の前記発光装置は、青色ＬＥＤチップと透光性材料からなり前記青色ＬＥＤチップを保護する保護部とを有しており、前記多角形の各頂点のうち１つの頂点に対応する色度点の色を発光する前記発光装置は、前記保護部に、前記青色ＬＥＤチップから放射された光を拡散させる拡散材を含有させてあり、前記多角形の他の頂点に対応する色度点の色を発光する前記発光装置は、前記保護部に、前記青色ＬＥＤチップから放射された光によって励起され頂点に対応する色度点の色を発光する蛍光体を含有させてあり、前記多角形が三角形であり、前記発光装置として、前記保護部が前記拡散材を含有してなる青色系発光装置と、前記保護部が前記蛍光体として赤色光を放射する蛍光体を含有してなる赤色系発光装置と、前記保護部が前記蛍光体として緑色光を放射する蛍光体を含有してなる緑色系発光装置とを備え、
　前記青色系発光装置、前記赤色系発光装置および前記緑色系発光装置が同一の仕様の青色ＬＥＤチップを用いており、
　前記ｘｙ色度図において、前記黒体軌跡上の前記２つの前記色度点のうち、低色温度側を第１の色度点とし、高色温度側を第２の色度点とし、
　前記交点に位置する前記色度点を第３の色度点とし、
　前記第１の色度点を通り前記第３の色度点に対応する角の二等分線に平行な直線とスペクトル軌跡との交点を第４の色度点とし、
　前記第１の色度点を通り前記第３の色度点に対応する角の二等分線に平行な直線と前記スペクトル軌跡の両端を結ぶ直線との交点を第５の色度点とし、
　前記第２の色度点を通り前記二等分線に平行な直線と前記スペクトル軌跡との交点を第６の色度点とし、
　前記第２の色度点を通り前記第３の色度点に対応する角の二等分線に平行な直線と前記スペクトル軌跡の両端を結ぶ直線との交点を第７の色度点とし、
　前記第１の色度点と前記第２の色度点とを結ぶ直線と前記スペクトル軌跡の長波長側との交点を第８の色度点とし、
　前記第１の色度点と前記第２の色度点とを結ぶ直線と前記スペクトル軌跡の短波長側との交点を第９の色度点とするとき、
　前記緑色系発光装置の前記色度点は、前記ｘｙ色度図おいて、前記黒体軌跡上の前記第１の色度点と前記第２の色度点の間の線と、前記第２の色度点と前記第６の色度点との間の直線と、前記スペクトル軌跡上の前記第６の色度点と前記第４の色度点の間の線と、前記第４の色度点と前記第１の色度点との間の直線とで囲まれた領域内で設定し、
　前記赤色系発光装置の前記色度点は、前記ｘｙ色度図において、前記第１の色度点と前記第５の色度点との間の直線と、前記第５の色度点と前記スペクトル軌跡の長波長端とを結ぶ直線と、前記スペクトル軌跡上の前記長波長端と前記第８の色度点との間の線と、前記第８の色度点と前記第１の色度点との間の直線とで囲まれた領域内で設定し、
　前記青色系発光装置の前記色度点は、前記ｘｙ色度図において、前記第２の色度点と前記第７の色度点との間の直線と、前記第７の色度点と前記スペクトル軌跡の短波長端とを結ぶ直線と、前記スペクトル軌跡上の前記短波長端と前記第９の色度点との間の線と、前記第９の色度点と前記第２の色度点との間の直線とで囲まれた領域内で設定してあり、
　
前記赤色系発光装置と前記緑色系発光装置とで前記保護部の蛍光体濃度が異なり、蛍光体濃度が薄い前記保護部に拡散材を混ぜてある
　ことを特徴とするＬＥＤ照明装置。」（下線は、請求人が補正書において付したものである。）　　
　　　　　　　　             
第３　刊行物の記載　　　　　　　  
（１）当審拒絶理由に引用され、本願の出願前に頒布された刊行物である特開２００７−１２２９５０号公報（以下「引用文献」という。）には、図とともに以下の記載がある（なお、下線は当審で付した。以下同じ。）。
　            　　　                  
　ア　「【請求項１】
　
発光ダイオード素子のみを実装したランプ及び発光ダイオード素子とその光により励起される蛍光体とを有するランプからなる群から選択された２個以上のランプと、該ランプのそれぞれの光出力を調整可能な制御装置とを有することを特徴とする照明装置
【請求項２】
　
前記ランプが、青色発光ダイオード素子からなるランプ（ａ）、青色発光ダイオード素子と緑色蛍光体とを有するランプ（ｂ）、青色発光ダイオード素子と赤色蛍光体とを有するランプ（ｃ）
【請求項３】
　前記ランプ（ａ）〜ランプ（ｅ）のうち、少なくとも
ランプ（ａ）とランプ（ｂ）とランプ（ｃ）とを有している
　
　イ　「【００２１】
　また図２は、本発明の照明装置において使用するランプの一例を示す断面図である。このランプ１３は、一対の電極４Ａ，４Ｂが設けられた基板１上に青色ＬＥＤ２を実装し、その周囲にカップ部材５を設けると共に、
該カップ部材５のカップ内に黄色蛍光体３を分散した透明樹脂７を充填し硬化させて封止した構造になっている
【００２２】
　前記ランプ１１は、青色ＬＥＤ２に通電して発光させることで、青色光が発せられ、青色光の一部は微粒子状の黄色蛍光体３に吸収されて黄色蛍光体を励起し、黄色光が発せられ、この黄色光と青色光が透明樹脂７外に照射されるようになっている。
　
このランプ構造において、透明樹脂７に黄色蛍光体３を分散させなければ、青色ＬＥＤ１（又は緑色ＬＥＤ）から発する青色光のみが照射されるランプを構成することができ、また黄色蛍光体３に変えて、緑色蛍光体または赤色蛍光体を用いること、或いは２種類以上の蛍光体を混合して用いることによって、青色ＬＥＤ（又は緑色ＬＥＤ）から合する光と各蛍光体から発する光の混合光が照射されるランプを構成することができる
　  　　　
　ウ　「【００４０】
［実施例１］
　青色ＬＥＤからなるランプ１０（ランプ（ａ））、青色ＬＥＤと緑色蛍光体（ＴＧＧｒｅｅｎ）とを有するランプ１１（ランプ（ｂ））、青色ＬＥＤと赤色蛍光体（ＳＣＳＲｅｄ）とを有するランプ１２（ランプ（ｃ））の３種類のランプを組み合わせた照明装置を作製した。これらによる赤色発光＋緑色発光＋青色発光により白色光を実現できる。
【００４１】
　使用した蛍光体（図１の発光スペクトル参照）のうち、
赤色蛍光体は、発光ピーク波長６２５ｎｍ・半値全幅７０ｎｍであり、緑色蛍光体は、発光ピーク波長５３０ｎｍ・半値全幅５０ｎｍであり、また青色ＬＥＤは発光ピーク波長４６０ｎｍである。これらを組み合わせて実現できる色範囲は、図６に示すｘｙ色度図において、図６（ａ）中の三角形で示した範囲となり、白色範囲（昼光色、昼白色、白色、温白色、電球色）を十分にカバーできる
【００４２】
　照明用光源として重要な各白色での平均演色評価数（Ｒａ）等の測定値を表２に示し、
その時の色度座標を図６（ｂ）に示す
【００４３】
【表２】
　　
　エ　図２は、以下のものである。
                　
　オ　図５は、以下のものである。
　   　
　カ　図６は、以下のものである。
　　　　　             
（２）引用文献に記載された発明  
　ア　上記（１）アの記載によれば、  
　引用文献には、  
　「青色発光ダイオード素子からなるランプ（ａ）と、青色発光ダイオード素子と緑色蛍光体とを有するランプ（ｂ）と、青色発光ダイオード素子と赤色蛍光体とを有するランプ（ｃ）と、
　該ランプのそれぞれの光出力を調整可能な制御装置とを有する、
　照明装置。」
　が記載されているものと認められる。　
　   　
　イ　上記（１）イの記載を踏まえて、図２及び図５を見ると、
　上記アの「ランプ（ａ）ないし（ｃ）」（以下「それぞれを、青色ランプ、緑色ランプ及び赤色ランプという。）の青色発光ダイオード素子は透明樹脂により封止され、「緑色ランプ」と「赤色ランプ」の青色発光ダイオード素子を封止する透明樹脂には蛍光体が分散されていることが理解できる。
　　　
　ウ　上記（１）ウの記載に照らせば、
　上記「青色発光ダイオード素子」は、発光ピーク波長４６０ｎｍであり、「緑色蛍光体」は、発光ピーク波長５３０ｎｍ・半値全幅５０ｎｍであり、「赤色蛍光体」は、発光ピーク波長６２５ｎｍ・半値全幅７０ｎｍであってもよいものと認められる。
  　
　エ　上記（１）ウの記載を踏まえて、図６を見ると、
　図６における「△、□及び○」は、それぞれ、青色ランプ、緑色ランプ及び赤色ランプの色度点であって、
　上記アの「照明装置」は、これら３つの色度点によって囲まれた三角形の色範囲を実現することができ、白色範囲（昼光色、昼白色、白色、温白色、電球色）を十分にカバーできることが把握できる。　
　　　  　
　オ　上記アないしエから、引用文献には次の発明（以下「引用発明」という。）が記載されていると認められる。　  
        
　「青色発光ダイオード素子からなる青色ランプと、青色発光ダイオード素子と緑色蛍光体とを有する緑色ランプと、青色発光ダイオード素子と赤色蛍光体とを有する赤色ランプと、各ランプのそれぞれの光出力を調整可能な制御装置とを有する、照明装置であって、
　各ランプの青色発光ダイオード素子は透明樹脂により封止され、緑色ランプと赤色ランプの青色発光ダイオードを封止する透明樹脂には蛍光体が分散され、　
　青色発光ダイオード素子は、発光ピーク波長４６０ｎｍであり、緑色蛍光体は、発光ピーク波長５３０ｎｍ・半値全幅５０ｎｍであり、赤色蛍光体は、発光ピーク波長６２５ｎｍ・半値全幅７０ｎｍであり、
　下記のｘｙ色度図において、青色ランプ、緑色ランプ及び赤色ランプの色度点によって囲まれた三角形の色範囲を実現することができ、白色範囲（昼光色、昼白色、白色、温白色、電球色）を十分にカバーできるものであって、その時の平均演色評価数等は、以下の表に示すものである、照明装置。
　　　　　
　　　                　　　　
第４　対比・判断  
１　対比　 
　本願発明と引用発明とを対比する。  
（１）引用発明の「青色ランプ」、「緑色ランプ」及び「赤色ランプ」は、それぞれ、本願発明の「青色系発光装置」、「緑色系発光装置」及び「赤色系発光装置」に相当し、以下同様に、 
　「照明装置」は「ＬＥＤ照明装置」に、
　「各ランプの青色発光ダイオード素子」は「青色ＬＥＤチップ」に、
　「蛍光体」は「蛍光体」に、それぞれ、相当する。
　
（２）引用発明の「白色範囲（昼光色、昼白色、白色、温白色、電球色）」には黒体軌跡が含まれ、ｘｙ色度図において、黒体軌跡が上に凸の曲線を描くことが当業者にとって明らかであることに照らせば、
　
黒体軌跡上に２つの色度点（低色温度側と高色温度側）を規定し
　してみると、引用発明の「青色ランプ、緑色ランプ及び赤色ランプの色度点によって囲まれた三角形」は、「ｘｙ色度図における黒体軌跡上で規定した２つの色度点と、当該２つの色度点それぞれにおいて前記黒体軌跡に接する２つの接線の交点に位置する色度点との３つの色度点を結んだ三角形を内包する」ものであるといえる。
　　　
（３）また、本願明細書には、本願発明の「保護部」に関連して、以下の記載がある。　
      　
　ア　「【００１６】
　各発光装置１ａ，１ｂ，１ｃは、青色ＬＥＤチップ１１ａ，１１ｂ，１１ｃと、青色ＬＥＤチップ１１ａ，１１ｂ，１１ｃが実装された矩形板状の実装基板１２ａ，１２ｂ，１２ｃと、透光性材料（例えば、ガラス、シリコーン樹脂など）により形成されてなりＬＥＤチップ１１ａ，１１ｂ，１１ｃを実装基板１２ａ，１２ｂ，１２ｃとの間に囲む形で配設されたドーム状の保護カバー１３ａ，１３ｂ，１３ｃとを備えている。ここで、保護カバー１３ａは、青色ＬＥＤチップ１１ａから放射される光によって励起されて赤色光を発光する赤色蛍光体のみを含有させ、保護カバー１３ｂは、青色ＬＥＤチップ１１ｂから放射される光によって励起されて緑色光を発光する緑色蛍光体のみを含有させ、保護カバー１３ｃは、青色ＬＥＤチップ１１ｃから放射される光を拡散させるガラスビーズなどの透明な光拡散材（例えば、ガラスビーズなど）のみを含有させてある。なお、
本実施形態では、各保護カバー１３ａ，１３ｂ，１３ｃそれぞれが保護部を構成している
　
　イ　「【００１７】
　また、
各発光装置１ａ，１ｂ，１ｃは、保護カバー１３ａ，１３ｂ，１３ｃの内側においてＬＥＤチップ１１ａ，１１ｂ，１１ｃを封止した透光性材料（例えば、シリコーン樹脂など）からなる封止部（図示せず）を備えており、各保護カバー１３ａ，１３ｂ，１３ｃの内面と各封止部の光出射面との間には空気層が形成されている
　　
　ウ　「【００２７】
　１ａ  発光装置（赤色系発光装置）
　１ｂ  発光装置（緑色系発光装置）
　１ｃ  発光装置（青色系発光装置）
　２  回路基板
　１１ａ，１１ｂ，１１ｃ  青色ＬＥＤチップ
　１２ａ，１２ｂ，１２ｃ  実装基板
　
１３ａ，１３ｂ，１３ｃ  保護カバー（保護部）
　Ｗ１，Ｗ２，Ｃ，Ｒ１，Ｇ１，Ｂ１  色度点
　ＢＬ  黒体軌跡
　ＳＬ  スペクトル軌跡」　
　　
　エ　上記アないしウの記載に照らせば、
　本願発明の「保護部」は、ＬＥＤチップを封止する封止部の外側に空気層を介して設けられた
保護カバー
　
　オ　一方、引用発明の「各ランプの青色発光ダイオード素子」は、透明樹脂により封止されていることに照らせば、
　引用発明と本願発明とは、
　「前記複数種の前記発光装置は、青色ＬＥＤチップと透光性材料からなる透過部とを有している」
　点で共通する。　
　　　　　
（４）上記（３）の検討を踏まえると、
　引用発明と本願発明とは、
　「多角形の各頂点のうち１つの頂点に対応する色度点の色を発光する発光装置は、透過部を備え、
　多角形の他の頂点に対応する色度点の色を発光する発光装置は、透過部に、青色ＬＥＤチップから放射された光によって励起され頂点に対応する色度点の色を発光する蛍光体を含有させてあり、
　多角形が三角形であり、
　発光装置として、透過部を備えた青色系発光装置と、透過部が蛍光体として赤色光を放射する蛍光体を含有してなる赤色系発光装置と、透過部が蛍光体として緑色光を放射する蛍光体を含有してなる緑色系発光装置とを備える」　
　点で共通する。　
　　　  　            　
（５）本願発明の「同一の仕様」とは、本願明細書（【００１８】）の記載によれば、「発光層の組成、発光ピーク波長、および構造が同じ」であることを意味するものと解される。
　一方、引用文献には、「
このランプ構造において
　してみると、引用発明と本願発明とは「前記青色系発光装置、前記赤色系発光装置および前記緑色系発光装置が同一の仕様の青色ＬＥＤチップを用いており」で一致する。　
　      　
（６）以上のことから、本願発明と引用発明とは以下の点で一致する。  
　＜一致点＞  
　「発光色の異なる複数種の発光装置を備えたＬＥＤ照明装置であって、
　所望の混色光に基づいてｘｙ色度図における黒体軌跡上で規定した２つの色度点と、当該２つの色度点それぞれにおいて前記黒体軌跡に接する２つの接線の交点に位置する色度点との３つの色度点を結んだ三角形を内包する多角形の各頂点それぞれに対応する色度点の色を発光する前記複数種の前記発光装置を備え、
　前記複数種の前記発光装置は、青色ＬＥＤチップと透光性材料からなる透過部とを有しており、
　前記多角形の各頂点のうち１つの頂点に対応する色度点の色を発光する前記発光装置は、前記透過部を備え、
　前記多角形の他の頂点に対応する色度点の色を発光する前記発光装置は、前記透過部に、前記青色ＬＥＤチップから放射された光によって励起され頂点に対応する色度点の色を発光する蛍光体を含有させてあり、
　前記多角形が三角形であり、　
　前記発光装置として、前記透過部を備えた前記青色系発光装置と、前記透過部が前記蛍光体として赤色光を放射する蛍光体を含有してなる赤色系発光装置と、前記透過部が前記蛍光体として緑色光を放射する蛍光体を含有してなる緑色系発光装置とを備え、
　前記青色系発光装置、前記赤色系発光装置および前記緑色系発光装置が同一の仕様の青色ＬＥＤチップを用いている、ＬＥＤ照明装置。」　
　
（７）一方で、本願発明と引用発明とは、以下の点で相違する。  
　＜相違点１＞ 　　
　青色系発光装置の透過部に関し、
　本願発明は、「青色ＬＥＤチップを保護する保護部」であって、「青色ＬＥＤチップから放射された光を拡散させる拡散材を含有させてあ」るのに対して、
　引用発明は、青色発光ダイオード素子を封止する透明樹脂であって、拡散材を含有させてあるか否か不明である点。　　
　
　＜相違点２＞  　
　赤色系発光装置と緑色系発光装置の透過部に関し、
　本願発明は、「青色ＬＥＤチップを保護する保護部」であって、「前記赤色系発光装置と前記緑色系発光装置とで前記保護部の蛍光体濃度が異なり、蛍光体濃度が薄い前記保護部に拡散材を混ぜてある」のに対して、
　引用発明は、青色発光ダイオード素子を封止する透明樹脂であって、「赤色ランプ」と「緑色ランプ」の蛍光体濃度が異なるのか否か不明であり、拡散材を含有させてあるか否かも不明である　　
　　　　　　
　＜相違点３＞
　各発光装置の色度点に関し、
　本願発明は、「前記ｘｙ色度図において、前記黒体軌跡上の前記２つの前記色度点のうち、低色温度側を第１の色度点とし、高色温度側を第２の色度点とし、
　前記交点に位置する前記色度点を第３の色度点とし、
　前記第１の色度点を通り前記第３の色度点に対応する角の二等分線に平行な直線とスペクトル軌跡との交点を第４の色度点とし、
　前記第１の色度点を通り前記第３の色度点に対応する角の二等分線に平行な直線と前記スペクトル軌跡の両端を結ぶ直線との交点を第５の色度点とし、
　前記第２の色度点を通り前記二等分線に平行な直線と前記スペクトル軌跡との交点を第６の色度点とし、
　前記第２の色度点を通り前記第３の色度点に対応する角の二等分線に平行な直線と前記スペクトル軌跡の両端を結ぶ直線との交点を第７の色度点とし、
　前記第１の色度点と前記第２の色度点とを結ぶ直線と前記スペクトル軌跡の長波長側との交点を第８の色度点とし、
　前記第１の色度点と前記第２の色度点とを結ぶ直線と前記スペクトル軌跡の短波長側との交点を第９の色度点とするとき、
　前記緑色系発光装置の前記色度点は、前記ｘｙ色度図おいて、前記黒体軌跡上の前記第１の色度点と前記第２の色度点の間の線と、前記第２の色度点と前記第６の色度点との間の直線と、前記スペクトル軌跡上の前記第６の色度点と前記第４の色度点の間の線と、前記第４の色度点と前記第１の色度点との間の直線とで囲まれた領域内で設定し、
　前記赤色系発光装置の前記色度点は、前記ｘｙ色度図において、前記第１の色度点と前記第５の色度点との間の直線と、前記第５の色度点と前記スペクトル軌跡の長波長端とを結ぶ直線と、前記スペクトル軌跡上の前記長波長端と前記第８の色度点との間の線と、前記第８の色度点と前記第１の色度点との間の直線とで囲まれた領域内で設定し、
　前記青色系発光装置の前記色度点は、前記ｘｙ色度図において、前記第２の色度点と前記第７の色度点との間の直線と、前記第７の色度点と前記スペクトル軌跡の短波長端とを結ぶ直線と、前記スペクトル軌跡上の前記短波長端と前記第９の色度点との間の線と、前記第９の色度点と前記第２の色度点との間の直線とで囲まれた領域内で設定してある」のに対して、
　引用発明は、緑色ランプ、赤色ランプ及び青色ランプの色度点が、それぞれ、そのような領域に設定されているか否か不明である点。
　　　　　                
２　判断 　  
（１）上記＜相違点１＞及び＜相違点２＞について検討する。  
　ア　まず、上記＜相違点２＞における「蛍光体濃度が薄い前記保護部に拡散材を混ぜてある」との発明特定事項の技術的意義について検討する。　
　  　
　本願明細書には、以下の記載がある。
（ア）「【００１７】
　また、各発光装置１ａ，１ｂ，１ｃは、保護カバー１３ａ，１３ｂ，１３ｃの内側においてＬＥＤチップ１１ａ，１１ｂ，１１ｃを封止した透光性材料（例えば、シリコーン樹脂など）からなる封止部（図示せず）を備えており、各保護カバー１３ａ，１３ｂ，１３ｃの内面と各封止部の光出射面との間には空気層が形成されている。したがって、各保護カバー１３ａ，１３ｂ，１３ｃから各封止部側へ光が伝搬するのを抑制することができ外部への光取出し効率を高めることができる。なお、各発光装置１ａ，１ｂ，１ｃそれぞれの封止部に、ガラスビーズなどの光拡散材（例えば、ガラスビーズなど）を含有させることにより、各ＬＥＤチップ１１ａ，１１ｂ，１１ｃそれぞれからの放射光が封止部中の光拡散材により反射され混色されるので、混色性を高めることができる。また、赤色系光源と緑色系光源とで保護カバー１３ａ，１３ｂの蛍光体濃度が異なり、蛍光体の濃度が薄い色において青色ＬＥＤチップ１１ａ，１１ｂからの青色と蛍光体からの光色が混ざりにくいので、
色変換部材１３ａ，１３ｂに拡散材を混ぜてもよい
　    　
（イ）上記（ア）の記載からして、上記発明特定事項の技術的意義は、
　蛍光体の濃度が薄い保護部においては、蛍光体による光の拡散が少なく、青色ＬＥＤチップからの青色と蛍光体からの色光とが混ざりにくくなるために、拡散材を含有させて混色性をよくすることにあるものと解される。　
　    　
　イ　上記技術的意義を踏まえて、以下に検討する。
（ア）蛍光体自体が拡散材として機能するために、蛍光体の濃度が低くなると拡散率が低下することや蛍光体層に拡散材を分散させると光の混合が促進されることは、当業者にとって自明のことである（例えば、特開２００７−５９３７８号公報の【０００２】、特開２００７−３６０３０号公報の【００６５】、特開２００３−３１００８号公報の【００１８】及び特開２００２−７６４３４号公報の【００５２】を参照。）。　　
　
（イ）また、発光ダイオード素子を保護するカバー等に、蛍光体や拡散材を含有させることは、当審拒絶理由で引用した、特開２００７−５３３２０号公報（【００１８】を参照。）、特開２００７−４３１２６号公報（【００４１】及び図１を参照。）、特開２００３−１０１０８１号公報（【００８３】及び【００８４】を参照。）、特開２０００−１５０９６８号公報（【００４１】及び【００４２０】を参照。）、特開平１０−２８２９１６号公報（【特許請求の範囲】及び図６を参照。
　図６は、以下のものである。          　
）及び特開平１０−２８２９１５号公報（【特許請求の範囲】を参照。）に記載されているように、本願の出願時点で周知である（以下「周知技術」という。）。　
　　
（ウ）してみれば、引用発明の「青色ランプ」、「緑色ランプ」及び「赤色ランプ」において、各青色発光ダイオード素子を保護する保護カバーを採用し、「青色ランプ」の保護カバーに拡散材を、「緑色ランプ」及び「赤色ランプ」の保護カバーに蛍光体及び拡散材を含有させることは、当業者が容易になし得たことである。
　そして、その際、光の混合が十分になされるように、蛍光体の濃度に応じて、拡散材の量を増やすことは、当業者が適宜なし得た設計事項である。　
　  　
　ウ　以上の検討によれば、引用発明において、上記＜相違点１＞及び＜相違点２＞に係る本願発明の構成を採用することは、当業者が周知技術に基づいて容易になし得たことである。　
　
（２）上記＜相違点３＞について検討する。
　ア　引用発明の「ｘｙ色度図」は、以下のものである。　     　
　　　      　
　そして、引用発明は、「白色範囲（昼光色、昼白色、白色、温白色、電球色）」を十分にカバーできるものであることに照らせば、上記色度図において、「第１の色度点ないし第９の色度点」を定めたときに、
　「青色ランプ」の色度点は、第２の色度点、スペクトル軌跡の短波長端、第７の色度点及び第９の色度点で囲まれた領域内に設定され、
　「緑色ランプ」の色度点は、第１の色度点、第２の色度点、第６の色度点及び第４の色度点で囲まれた領域内で設定され、
　「赤色ランプ」の色度点は、第１の色度点、第５の色度点、スペクトル軌跡の長波長端及び第８の色度点とで囲まれた領域内で設定されていることになる。
　してみると、引用発明は、上記＜相違点３＞に係る本願発明の構成を備えている。　
　     　  　
　イ　以上の検討によれば、上記＜相違点３＞は、実質的な相違点ではない。　　     　
　　                               
（３）効果  
　本願発明が奏する効果は、当業者が引用発明及び周知技術から予測し得る範囲内のものである。  
   　　　　　                      
４　まとめ  
　本願発明は、当業者が引用発明及び周知技術に基づいて容易に発明をすることができたものである。　 　  
              　　　　
第５　むすび 　 　  
　以上のとおり、本願発明は、当業者が引用文献に記載された発明及び周知技術に基づいて容易に発明をすることができたものであるから、特許法第２９条第２項の規定により特許を受けることができない。 　　 　 　
    
　よって、結論のとおり審決する。